(57)【要約】      （修正有）【課題】透明な板状部材へ貼着することで模様を表示することができる模様表示フィルム体を提供する。【解決手段】板状部材一主表面２３から観察した場合に模様を形成するための模様表示フィルム体であって、一主表面である第１フィルム一主表面４３と他主表面である第１フィルム他主表面４４とを有すると共に、一部が切除され形成された切除部４２を有し、第１フィルム一主表面４３が板状部材他主表面に貼着される第１フィルム４１と、一主表面である第２フィルム一主表面６３と他主表面である第２フィルム他主表面６４とを有し、切除部４２の少なくとも一部を覆うように第１フィルム他主表面４３に第２フィルム一主表面６３が貼着される第２フィルム６１と、を備えてなり、第１フィルム一主表面４３と第２フィルム一主表面６３とは、可視光の反射率、色彩及び模様の少なくとも１が異なる。【選択図】図１
0003187080.tif 000002
【実用新案登録請求の範囲】
【請求項１】
一主表面である板状部材一主表面と他主表面である板状部材他主表面とを有する透明な板状部材の板状部材他主表面に貼着されることで板状部材一主表面から観察した場合に模様を形成するための模様表示フィルム体であって、
一主表面である第１フィルム一主表面と他主表面である第１フィルム他主表面とを有すると共に、一部が切除され形成された切除部を有し、第１フィルム一主表面が板状部材他主表面に貼着される第１フィルムと、
一主表面である第２フィルム一主表面と他主表面である第２フィルム他主表面とを有し、切除部の少なくとも一部を覆うように第１フィルム他主表面に第２フィルム一主表面が貼着される第２フィルムと、を備えてなり、
第１フィルム一主表面と第２フィルム一主表面とは、可視光の反射率、色彩及び模様の少なくとも１が異なることで視覚的に異なるものである、模様表示フィルム体。
【請求項２】
第１フィルム一主表面と第２フィルム一主表面とのいずれか一方の可視光の反射率がいずれか他方の可視光の反射率よりも高いものである、請求項１に記載の模様表示フィルム体。
【請求項３】
第１フィルム一主表面と第２フィルム一主表面との可視光の反射率の差が１０％以上である、請求項２に記載の模様表示フィルム体。
【請求項４】
前記いずれか一方が第２フィルム一主表面である、請求項２又は３に記載の模様表示フィルム体。
【請求項５】
前記切除部が、縁部が閉曲線を構成する切り抜き部を含むものである、請求項１乃至４のいずれか１に記載の模様表示フィルム体。
【請求項６】
第２フィルムが、前記切除部の全部を覆うように第１フィルム他主表面に第２フィルム一主表面が貼着されるものである、請求項１乃至５のいずれか１に記載の模様表示フィルム体。
【請求項７】
第２フィルム一主表面と第１フィルム他主表面とを粘着させる第２の粘着層が第２フィルム一主表面に沿って形成されるものである、請求項１乃至６のいずれか１に記載の模様表示フィルム体。
【請求項８】
第１フィルム一主表面と板状部材他主表面とを貼着させる第１の粘着層が第１フィルム一主表面に沿って形成されるものである、請求項１乃至７のいずれか１に記載の模様表示フィルム体。
【請求項９】
前記板状部材と、第１フィルム一主表面が板状部材他主表面に貼着された請求項１乃至８のいずれか１に記載の模様表示フィルム体と、を含んでなる、模様表示体。
【請求項１０】
前記板状部材が自動車の窓ガラスである、請求項９に記載の模様表示体。
【請求項１１】
第１フィルムと第２フィルムとを含んでなる、請求項１乃至８のいずれか１に記載の模様表示フィルム体の作成キット。
【考案の詳細な説明】
【技術分野】
【０００１】
本考案は、模様表示フィルム体に関し、より詳細には、透明な板状部材へ貼着することで模様を表示する模様表示フィルム体に関する。
【背景技術】
【０００２】
フィルムを貼着することにより透明な板状部材へ模様を表示することはこれまで種々のものが提案されてきた（例えば、特許文献１参照）。
特許文献１には、「窓ガラスに貼着することで意匠感や遮蔽効果を得ることができるようなガラス用貼着フィルム」（特許文献１、考案の詳細な説明中、段落番号０００１）であって、具体的には「透明の樹脂フィルムの表面に、微粒子を混入したインクを部分的に塗布して不透明部を形成したガラス用貼着フィルム」（特許文献１、請求項１）が開示されている。かかるガラス用貼着フィルムは、「ガラス面に張り付けることにより部分的には例えばすりガラス様の不透明部を形成できるので、不透明部の占有率や形状により所望の遮蔽効果が得られると同時に、不透明部の形状によって良好な意匠感を得られる効果も達成できる。」（特許文献１、考案の詳細な説明中、段落番号００１７）というものである。
即ち、特許文献１のガラス用貼着フィルム（フィルム）を透明な板状部材（特許文献１のガラス）へ貼着することにより透明な板状部材（特許文献１のガラス）へ模様を表示することができるものである。
【先行技術文献】
【特許文献】
【０００３】
【特許文献１】実用新案登録第３０７５０９３号公報（例えば、要約、段落番号０００１〜０００７、００１７、第１図、第２図等）
【考案の概要】
【考案が解決しようとする課題】
【０００４】
このような特許文献１に開示されたようなガラス用貼着フィルムによれば、確かに、ガラス面に張り付けることにより不透明部の形状によって模様（良好な意匠感）を形成することができるが、そのためには所望の模様を形成するように微粒子を混入したインクを透明の樹脂フィルムの表面に部分的に塗布して所定の不透明部を形成する必要がある。このことは樹脂フィルムの表面にインクを人手又は塗布装置により塗布することを要し、特に大きな模様を形成するには、人手によるインク塗布が難儀であったり、高価な大型の塗布装置を要するものであった。
そこで、本考案では、フィルムの表面にインクを塗布することを要さず、透明な板状部材へ貼着することで模様を表示することができる模様表示フィルム体を提供することを目的とする。
【課題を解決するための手段】
【０００５】
本考案の模様表示フィルム体（以下、「本フィルム体」という。）は、一主表面である板状部材一主表面と他主表面である板状部材他主表面とを有する透明な板状部材の板状部材他主表面に貼着されることで板状部材一主表面から観察した場合に模様を形成するための模様表示フィルム体であって、一主表面である第１フィルム一主表面と他主表面である第１フィルム他主表面とを有すると共に、一部が切除され形成された切除部を有し、第１フィルム一主表面が板状部材他主表面に貼着される第１フィルムと、一主表面である第２フィルム一主表面と他主表面である第２フィルム他主表面とを有し、切除部の少なくとも一部を覆うように第１フィルム他主表面に第２フィルム一主表面が貼着される第２フィルムと、を備えてなり、第１フィルム一主表面と第２フィルム一主表面とは、可視光の反射率、色彩及び模様の少なくとも１が異なることで視覚的に異なるものである、模様表示フィルム体である。
【０００６】
本フィルム体は、一主表面である板状部材一主表面と他主表面である板状部材他主表面とを有する透明な板状部材の板状部材他主表面に貼着されることで板状部材一主表面側から観察した場合に観察される模様を形成するための模様表示フィルム体である。
本フィルム体が貼着される板状部材は、両主表面を有し、両主表面のうち一主表面を板状部材一主表面とし、両主表面のうち他主表面を板状部材他主表面とする。板状部材は板状部材他主表面側に存するものを板状部材一主表面側から目視観察できる程度の透明であることを要するが、その程度であれば完全な透明でなくてもよく、さらに有色であってもよい。加えて、板状部材一主表面と板状部材他主表面とが平面に沿ったもののみならず曲面に沿って湾曲したものや折れ曲がりを有するものであってもよく、板状部材の厚みは均一のみならず板状部材の部分によって厚みが異なるものであってもよい。
本フィルム体は板状部材の板状部材他主表面に貼着されることで板状部材一主表面側から目視観察した場合に観察される模様を形成するものである。
【０００７】
本フィルム体は、第１フィルムと第２フィルムとを備えてなる。
第１フィルムは、両主表面を有し、両主表面のうち一主表面を第１フィルム一主表面とし、両主表面のうち他主表面を第１フィルム他主表面とする。第１フィルムは、一部が切除されて形成された切除部（切除部は第１フィルム一主表面から第１フィルム他主表面まで切除されている。）を有しており、第１フィルム一主表面が板状部材他主表面に貼着される。
第２フィルムは、両主表面を有し、両主表面のうち一主表面を第２フィルム一主表面とし、両主表面のうち他主表面を第２フィルム他主表面とする。第２フィルムは、第１フィルムの切除部の少なくとも一部を覆うように第１フィルム他主表面に第２フィルム一主表面が貼着される。
そして、本フィルム体において第１フィルム一主表面と第２フィルム一主表面とは、可視光の反射率、色彩及び模様の３つの要素のうち少なくとも１（無論、２又は３であってもよい）の要素が異なることで視覚的に異なる。このため第１フィルム一主表面が板状部材他主表面に貼着され、板状部材一主表面から板状部材を通して第１フィルム一主表面と第２フィルム一主表面とを観察すると第１フィルム一主表面と第２フィルム一主表面とが視覚的に異なることによって、第１フィルムの切除部の少なくとも一部を覆う第２フィルム一主表面と第１フィルム一主表面とにより模様を形成することができる。なお、形成する模様は文字、図形、記号及びこれら２以上のものの結合を例示できる。
このように本フィルム体によれば、一部を切除した切除部を有する第１フィルムと、切除部の少なくとも一部を覆う第２フィルムと、を貼着することにより、フィルムの表面にインクを塗布することを要さず、透明な板状部材へ模様を表示することができる。
【０００８】
本フィルム体においては、第１フィルム一主表面と第２フィルム一主表面とのいずれか一方の可視光の反射率がいずれか他方の可視光の反射率よりも高いもの（以下、「反射率相違本フィルム体」という。）であってもよい。
上述の如く、本フィルム体においては、第１フィルム一主表面と第２フィルム一主表面とが、可視光の反射率、色彩及び模様の少なくとも１が異なることで視覚的に異なることによって模様を形成するものであるが、高い視認性の模様を形成することからは第１フィルム一主表面と第２フィルム一主表面との可視光の反射率が異なるようにしてもよい（第１フィルム一主表面と第２フィルム一主表面とのいずれか一方の可視光の反射率がいずれか他方の可視光の反射率よりも高い。）。なお、「可視光の反射率」は「自動車窓ガラス用フィルム ＪＩＳ Ｓ ３１０７」に準拠して測定されたものをいう。
なお、前記いずれか一方（第１フィルム一主表面と第２フィルム一主表面とのうち可視光の反射率が高い方）の可視光の反射率は、好ましくは３０％以上であり、より好ましくは４０％以上であり、最も好ましくは５０％以上である（上限は特にないが、通常は６０％以下である。）。前記いずれか他方（第１フィルム一主表面と第２フィルム一主表面とのうち可視光の反射率が低い方）の可視光の反射率は、好ましくは２０％以下であり、より好ましくは１５％以下であり、最も好ましくは１０％以下である（下限は特にないが、通常は４％以上である。）。  
【０００９】
反射率相違本フィルム体の場合、第１フィルム一主表面と第２フィルム一主表面との可視光の反射率の差が１０％以上であってもよい。
反射率相違本フィルム体の場合、第１フィルム一主表面と第２フィルム一主表面との可視光の反射率が異なることで模様を形成するものであるので、第１フィルム一主表面と第２フィルム一主表面との可視光の反射率の差が大きいほど、形成される模様の視認性を高めることができる。このため第１フィルム一主表面の可視光の反射率（ｘ１（単位％））と第２フィルム一主表面の可視光の反射率（ｘ２（単位％））との差（＝（（ｘ１−ｘ２）２）０．５）は、好ましくは１０％以上であり、より好ましくは２５％以上であり、最も好ましくは４０％以上である（上限は特にないが、通常は５６％以下である。）。
なお、ここにいう「可視光の反射率」は「自動車窓ガラス用フィルム ＪＩＳ Ｓ ３１０７」に準拠して測定されたものをいう。
【００１０】
反射率相違本フィルム体の場合、前記いずれか一方が第２フィルム一主表面であってもよい。
第１フィルム一主表面と第２フィルム一主表面とのうち可視光の反射率が高い方である前記いずれか一方が第２フィルム一主表面であれば、切除部の少なくとも一部を覆う第２フィルム一主表面が第１フィルム一主表面よりも可視光の反射率が高くなるので、第２フィルム一主表面が覆う切除部の少なくとも一部がその周りの部分（第１フィルム一主表面）に比して明るく観察され、切除部の該少なくとも一部により形成される模様の視認性を高めることができる。
【００１１】
本フィルム体においては、前記切除部が、縁部が閉曲線を構成する切り抜き部を含むものであってもよい。
このように縁部が閉曲線（一部に線分を含む場合や多角形のように複数の線分が連なる場合を含む）を構成する切り抜き部を切除部が含むことで、切り抜き部は第１フィルムに浮島（切り抜き部を規定する縁部が第１フィルムの外縁に交わらない）のように切り抜かれて形成されるので、切除部（切り抜き部）を形成することで第１フィルムの大幅な強度低下が生じることを防止又は減少させることができる（第１フィルムの外縁から入り江状に切除部を形成すると第１フィルムの大幅な強度低下を招くことが多い。）。このため第１フィルムの取り扱いを容易ならしめ本フィルム体の使用（板状部材への貼着作業等）を容易かつ迅速に行うことができる。
【００１２】
本フィルム体においては、第２フィルムが、前記切除部の全部を覆うように第１フィルム他主表面に第２フィルム一主表面が貼着されるものであってもよい。
こうすることで第１フィルムの切除部の全部を第２フィルムが覆うので切除部全部により模様を形成できることに加え、第１フィルムの切除部を第２フィルムによって効果的に補強することができる。
【００１３】
本フィルム体においては、第２フィルム一主表面と第１フィルム他主表面とを粘着させる第２の粘着層が第２フィルム一主表面に沿って形成されるものであってもよい。
こうすることで第２フィルム一主表面に沿って形成される第２の粘着層によって迅速かつ容易に第１フィルム他主表面と第２フィルム一主表面とを貼着させ本フィルム体を構成することができる。
【００１４】
本フィルム体においては、第１フィルム一主表面と板状部材他主表面とを貼着させる第１の粘着層が第１フィルム一主表面に沿って形成されるものであってもよい。
こうすることで第１フィルム一主表面に沿って形成される第１の粘着層によって迅速かつ容易に第１フィルム一主表面と板状部材他主表面とを貼着させることができるので本フィルム体の使用（板状部材への貼着作業等）を容易かつ迅速に行うことができる。
【００１５】
本考案は、本フィルム体とそれが貼着された透明な板状部材とを含んでなる模様表示体（以下、「本表示体」という。）も提供する。
即ち、本表示体は、前記板状部材と、第１フィルム一主表面が板状部材他主表面に貼着された本フィルム体と、を含んでなる、模様表示体である。かかる本表示体によれば、一部を切除した切除部を有する第１フィルムと、切除部の少なくとも一部を覆う第２フィルムと、透明な板状部材と、により透明な板状部材へ模様を表示することができる。
【００１６】
本表示体においては、前記板状部材が自動車の窓ガラスであってもよい。
自動車の窓ガラスは、自動車の移動に伴い多くの人々に観察されることから、広告宣伝やデザイン性向上等といった様々の目的から様々な模様を表示したい場合がある。このような場合に本フィルム体を自動車の窓ガラス（透明な前記板状部材）に貼着することで窓ガラスに迅速かつ容易に模様を形成できる。
【００１７】
本考案は、本フィルム体を作成する作成キット（以下、「本キット」という。）も提供する。即ち、本キットは、第１フィルムと第２フィルムとを含んでなる、本フィルム体の作成キットである。本フィルム体は第１フィルムと第２フィルムとが貼着された状態として製造や販売等がされてもよいが、前記板状部材に第１フィルム及び第２フィルムを貼り付け本表示体を形成するとき第１フィルムと第２フィルムとを別々に貼り付ける方が作業が容易な場合があり、また本フィルム体の保管や搬送に際し第１フィルムと第２フィルムとが貼着された状態であるとこれらフィルムの劣化や損傷が生じる場合もある。こういった場合においては、第１フィルムと第２フィルムとが貼着される前の本キットの状態として製造、保管、搬送、販売等がされてもよい。
【図面の簡単な説明】
【００１８】
【図１】本考案の一実施形態の模様表示体（本表示体）を示す図である。
【図２】図１の本表示体を構成する第１ステップを示す図である。
【図３】図１の本表示体を構成する第２ステップを示す図である。
【考案を実施するための形態】
【００１９】
本考案の実施の形態を図面を参照して詳述するが、本考案はこれに限定されるものではない。
【００２０】
図１は、本考案の一実施形態の模様表示体（本表示体）１１を示す図であり、詳細には、図１（ａ）は本表示体１１を観察する側から見た正面図（後述のガラス板２１の表面２３に対して垂直な方向から見たところを示している。）であり、図１（ｂ）は図１（ａ）のＡ−Ａ断面図を示している。なお、図示及び理解を容易にするため、以降の断面図においてはガラス板２１、第１フィルム４１及び第２フィルム６１の厚みを大きく示している。図１を参照して本表示体１１について説明する。
【００２１】
本表示体１１は、大まかには、ガラス板２１と、ガラス板２１の裏面２５に貼着された第１フィルム４１と、第１フィルム４１に存する切り抜き部分４２を第１フィルム４１の裏面４４側から覆うように裏面４４に貼着された第２フィルム６１と、を備えてなり、ここではガラス板２１は図示しない四輪自動車が有する後部窓の窓ガラスを構成している。
【００２２】
ガラス板２１は、ここでは互いが略平行な表面２３及び裏面２５（表面２３及び裏面２５のいずれも平面に沿っており、長方形状をなしている。）を有する無色透明な板状のガラスにより形成されており、上述の如く、四輪自動車（不図示）の後部窓のガラス板として使用可能なものを用いている。ここではガラス板２１は、前述のように無色の板状のガラスにより構成されているが、これに限定されるものではなく、例えば、有色透明なものであってもよく、そして表面２３及び裏面２５が平面に沿ったものでなく曲面に沿って湾曲したものであってもよい。
【００２３】
第１フィルム４１は、表面４３側に接着層（不図示）が形成されており、かかる接着層によってガラス板２１の裏面２５に貼着されている。第１フィルム４１は、ここでは全体が黒色不透明であり、表面４３及び裏面４４のいずれも長方形状をなしている。第１フィルム４１の中心部分には、ここではアルファベットの「Ｂ」の文字を形成する切り抜き部分４２が形成されている。かかる切り抜き部分４２によって、黒色不透明の第１フィルム４１の中心部分にアルファベットの「Ｂ」の文字が形成されている。
【００２４】
第２フィルム６１は、表面６３側に接着層（不図示）が形成されており、かかる接着層によって第１フィルム４１の裏面４４に貼着されている。第２フィルム６１は、ここでは表面６３側が銀色に形成されており、表面６３及び裏面６４のいずれも長方形状をなしている。第２フィルム６１は、第１フィルム４１に存する切り抜き部分４２全部を第１フィルム４１の裏面４４側から覆うことができるような大きさにされている（図１（ａ）においては第２フィルム６１の外縁を点線にて示した。）。
【００２５】
以上のような本表示体１１によれば、ガラス板２１の表面２３側から入射した光は、第１フィルム４１の切り抜き部分４２は通過して第２フィルム６１の表面６３（銀色）により反射され、再びガラス板２１の表面２３から出射するので、切り抜き部分４２は銀色の明るい部分として観察される。一方、第１フィルム４１の切り抜き部分４２以外の部分は黒色不透明であるので、切り抜き部分４２以外の部分に入射した光は第２フィルム６１の表面６３（銀色）により反射されず、ガラス板２１の表面２３からほとんど出射しないので、切り抜き部分４２以外の部分は黒色部分として観察される。このように切り抜き部分４２は銀色の明るい部分として観察されると共に切り抜き部分４２以外の部分は黒色部分として観察されることにより、切り抜き部分４２が浮かび上がったかのように極めて鮮明に観察される。
【００２６】
また、切り抜き部分４２はここではアルファベットの「Ｂ」の文字としているが、これに限定されるものではなく、文字、図形、記号及びこれら２以上のものの結合であってもよい。
加えて、第１フィルム４１の切り抜き部分４２以外の部分はここでは黒色不透明とされているが、これに限定されるものではなく、第１フィルム４１の切り抜き部分４２以外の部分と切り抜き部分４２とを視覚的に異ならせるものであればよく、例えば、有色（例えば、赤、青、黄等）で不透明、有色（例えば、赤、青、黄等）で透明、無色で不透明（例えば、白、黒、灰色等）等を例示できる。
更に、第２フィルム６１の表面６３はここでは銀色に形成されているが、これに限定されるものではなく、第１フィルム４１の切り抜き部分４２を通過して表面６３に到達した光を反射するものであればよく、例えば、金色、白色、有色のうすい着色等であってもよい。
【００２７】
次いで、本表示体１１の構成方法を簡単に説明する。
図２は、本表示体１１を構成する第１ステップを示す図である。図２を参照して、本表示体１１を構成する第１ステップについて説明する。まず、第１フィルム４１を形成する第１原フィルム１４１（切り抜き部分４２が形成されていないことを除き材質及び寸法が第１フィルム４１に同じ）を準備し、第１原フィルム１４１から切り抜き部分４２を切り抜いて第１フィルム４１とする。
【００２８】
図３は、本表示体１１を構成する第２ステップを示す図であり、詳細には図３（ａ）は図１（ａ）と同じ方向から見た正面図であり、図３（ｂ）は図３（ａ）のＡ−Ａ断面図を示している。図３を参照して、本表示体１１を構成する第２ステップについて説明する。前述の第１ステップにより切り抜き部分４２が切り抜かれて形成された第１フィルム４１をガラス板２１の裏面２５に貼着する（上述の如く、第１フィルム４１の表面４３側には接着層（不図示）が形成されているので、かかる接着層によりガラス板２１の裏面２５に第１フィルム４１を貼着する。）。このようにして第１フィルム４１をガラス板２１の裏面２５に貼着したところを図３に示している。
【００２９】
前述の第２ステップによりガラス板２１の裏面２５に貼着された第１フィルム４１の裏面４４に第２フィルム６１を貼着（上述の如く、第２フィルム６１の表面６３側には接着層（不図示）が形成されているので、かかる接着層により第１フィルム４１の裏面４４に第２フィルム６１を貼着する。）して本表示体１１が完成される。
なお、ここでは第１フィルム４１をガラス板２１の裏面２５に貼着した後、ガラス板２１の裏面２５に貼着された第１フィルム４１の裏面４４に第２フィルム６１を貼着するようにしたが、これに限定されるものではなく、ガラス板２１の裏面２５に貼着される前の第１フィルム４１の裏面４４に第２フィルム６１を貼着した後、第１フィルム４１をガラス板２１の裏面２５に貼着するようにしてもよい。
【００３０】
以上説明した通り、本表示体１１に含まれる第１フィルム４１及び第２フィルム６１（第１フィルム４１及び第２フィルム６１により本フィルム体が構成される）は、一主表面である板状部材一主表面（ここでは表面２３）と他主表面である板状部材他主表面（ここでは裏面２５）とを有する透明な板状部材（ここではガラス板２１）の板状部材他主表面（裏面２５）に貼着されることで板状部材一主表面（表面２３）から観察した場合に模様（ここではアルファベットの「Ｂ」の文字）を形成するための模様表示フィルム体であって、一主表面である第１フィルム一主表面（ここでは表面４３）と他主表面である第１フィルム他主表面（ここでは裏面４４）とを有すると共に、一部が切除され形成された切除部（ここでは切り抜き部分４２）を有し、第１フィルム一主表面（表面４３）が板状部材他主表面（裏面２５）に貼着される第１フィルム４１と、一主表面である第２フィルム一主表面（ここでは表面６３）と他主表面である第２フィルム他主表面（ここでは裏面６４）とを有し、切除部（切り抜き部分４２）の少なくとも一部（ここでは全部）を覆うように第１フィルム他主表面（裏面４４）に第２フィルム一主表面（表面６３）が貼着される第２フィルム６１と、を備えてなり、第１フィルム一主表面（表面４３）と第２フィルム一主表面（表面６３）とは、可視光の反射率、色彩及び模様の少なくとも１（ここでは可視光の反射率）が異なることで視覚的に異なるものである、模様表示フィルム体である。
【００３１】
本表示体１１に含まれる第１フィルム４１及び第２フィルム６１においては、第１フィルム一主表面（表面４３）と第２フィルム一主表面（表面６３）とのいずれか一方（ここでは第２フィルム一主表面（表面６３））の可視光の反射率がいずれか他方（ここでは第１フィルム一主表面（表面４３））の可視光の反射率よりも高いものである。なお、具体的には、「自動車窓ガラス用フィルム ＪＩＳ Ｓ ３１０７」に準拠して測定したところ、ここでは第１フィルム一主表面（表面４３）の可視光の反射率は５％であり、第２フィルム一主表面（表面６３）の可視光の反射率は５３％であった。
本表示体１１に含まれる第１フィルム４１及び第２フィルム６１においては、第１フィルム一主表面（表面４３）と第２フィルム一主表面（表面６３）との可視光の反射率の差が１０％以上である（具体的には、反射率の差は４８％（５３−５）であった。）。
【００３２】
本表示体１１に含まれる第１フィルム４１及び第２フィルム６１においては、前記いずれか一方が第２フィルム一主表面（表面６３）である。
本表示体１１に含まれる第１フィルム４１及び第２フィルム６１においては、前記切除部が、縁部が閉曲線を構成する切り抜き部（ここでは切り抜き部分４２）を含むものである。
本表示体１１に含まれる第１フィルム４１及び第２フィルム６１においては、第２フィルム６１が、前記切除部（切り抜き部分４２）の全部を覆うように第１フィルム他主表面（裏面４４）に第２フィルム一主表面（表面６３）が貼着されるものである。
本表示体１１に含まれる第１フィルム４１及び第２フィルム６１においては、第２フィルム一主表面（表面６３）と第１フィルム他主表面（裏面４４）とを粘着させる第２の粘着層（不図示）が第２フィルム一主表面（表面６３）に沿って形成されるものである。
本表示体１１に含まれる第１フィルム４１及び第２フィルム６１においては、第１フィルム一主表面（表面４３）と板状部材他主表面（裏面２５）とを貼着させる第１の粘着層（不図示）が第１フィルム一主表面（表面４３）に沿って形成されるものである。
【００３３】
本表示体１１は、前記板状部材（ガラス板２１）と、第１フィルム一主表面（表面４３）が板状部材他主表面（裏面２５）に貼着された本フィルム体（第１フィルム４１及び第２フィルム６１により構成される。）と、を含んでなる、模様表示体である。
本表示体１１においては、前記板状部材（ガラス板２１）が自動車の窓ガラスである。
本表示体１１に含まれる第１フィルム４１及び第２フィルム６１は、互いに貼着される前の未貼着の状態で第１フィルム４１と第２フィルム６１とを含んでなる本フィルム体の作成キットとして製造、保管、搬送、販売等がされてもよい。
【符号の説明】
【００３４】
１１                本表示体
２１                ガラス板
２３                表面
２５                裏面
４１                第１フィルム
４２                切り抜き部分
４３                表面
４４                裏面
６１                第２フィルム
６３                表面
６４                裏面
１４１                第１原フィルム
【図１】
0003187080.tif 000003
【図２】
0003187080.tif 000004
【図３】
0003187080.tif 000005